(57)【要約】【課題】画像データと歌唱録音データを関連付け、視覚的に分かりやすく管理できるカラオケ端末、データ関連付け方法およびデータ関連付けプログラムを提供する。【解決手段】歌唱録音データと画像データとを関連付けるカラオケ端末６０であって、所定範囲の時刻情報が付属する歌唱録音データを記録する歌唱データ記録部と、所定時点または所定範囲の時刻情報が付属する画像データを取得する画像ＤＢ制御部と、記録された歌唱録音データと、取得された画像データとの関連性の有無を、各データの時刻情報の重複の有無により判定する関連判定部と、時刻情報の重複が有ると判定された場合に、判定の対象とされたデータ間を関連付ける関連付けデータ制御部と、を備える。これにより、画像データに歌唱録音データを関連付け、歌唱録音データを視覚的に分かりやすく管理することが可能となる。【選択図】図１
2011145492.tif 000002
【特許請求の範囲】
【請求項１】
歌唱録音データと画像データとを関連付けるカラオケ端末であって、
所定範囲の時刻情報が付属する歌唱録音データを記録する歌唱データ記録部と、
所定時点または所定範囲の時刻情報が付属する画像データを取得する画像ＤＢ制御部と、
前記記録された歌唱録音データと、前記取得された画像データとの関連性の有無を、各データの時刻情報の重複の有無により判定する関連判定部と、
前記時刻情報の重複が有ると判定された場合に、前記判定の対象とされたデータ間を関連付ける関連付けデータ制御部と、を備えることを特徴とするカラオケ端末。
【請求項２】
前記取得された画像データの取得元に対して、前記取得された画像データに関連付けられた歌唱録音データを送信するデータ送信制御部を更に備えることを特徴とする請求項１記載のカラオケ端末。
【請求項３】
前記記録された歌唱録音データに関する情報を表示するデータ表示制御部を更に備え、
前記データ表示制御部は、前記歌唱録音データに関連付けられた画像データを表示することを特徴とする請求項１または請求項２記載のカラオケ端末。
【請求項４】
請求項２記載のカラオケ端末からデータを受信し、歌唱録音データと画像データとを関連付けて出力する携帯端末であって、
前記カラオケ端末に送信した画像データと関連付けられた歌唱録音データを、前記カラオケ端末から受信する通信入出力制御部と、
前記受信された歌唱録音データを前記画像データと関連付けて出力させる関連付けデータ管理部とを備えることを特徴とする携帯端末。
【請求項５】
カラオケ端末を用いて歌唱録音データと画像データとを関連付けるデータ関連付け方法であって、
所定範囲の時刻情報が付属する歌唱録音データを記録するステップと、
所定時点または所定範囲の時刻情報が付属する画像データを取得するステップと、
前記記録された歌唱録音データと、前記取得された画像データとの関連性の有無を、各データの時刻情報の重複の有無により判定するステップと、
前記時刻情報の重複が有ると判定された場合に、前記判定の対象とされたデータ間を関連付けるステップと、を含むことを特徴とするデータ関連付け方法。
【請求項６】
カラオケ端末に歌唱録音データと画像データとの関連付けを実行させるデータ関連付けプログラムであって、
所定範囲の時刻情報が付属する歌唱録音データを記録する処理と、
所定時点または所定範囲の時刻情報が付属する画像データを取得する処理と、
前記記録された歌唱録音データと、前記取得された画像データとの関連性の有無を、各データの時刻情報の重複の有無により判定する処理と、
前記時刻情報の重複が有ると判定された場合に、前記判定の対象とされたデータ間を関連付ける処理と、を含むことを特徴とするデータ関連付けプログラム。
【発明の詳細な説明】
【技術分野】
【０００１】
本発明は、音声データと画像データとを関連付けるカラオケ端末、携帯端末、データ関連付け方法およびデータ関連付けプログラムに関する。
【背景技術】
【０００２】
近年、録音した自分の歌声を着信メロディとして利用できるサービスや備え付けのカメラの前で歌唱しているカラオケユーザの動画をＷｅｂサーバにアップロードして公開するサービスが増加している。例えば、業務用カラオケ・コンテンツ関連の会社が提供する通信カラオケと連動したソーシャル・ネットワーキング・サービス（ＳＮＳ）が挙げられる（たとえば非特許文献１、２参照）。このように今後、カラオケのサービスとして歌唱音声を録音した音楽データ（以下、歌唱録音データ）が１つのコミュニケーションツールとして普及することが見込まれる。
【０００３】
また、歌唱を録音したカラオケ端末から通信網を介して録音データをユーザのコンピュータにダウンロードさせる歌唱録音データ販売システム（たとえば特許文献１参照）や、カラオケボックス等を利用して歌唱を録音した歌唱録音データおよび備え付けのカメラで撮像した画像を手軽にメール配信するカラオケ音声画像送信システム（たとえば特許文献２参照）などが開示されている。現在デジタルカメラ、カメラ付き携帯電話機は一般に広く普及しており、カラオケボックス内で静止画、動画を撮像する機会が増加することが想定される。
【先行技術文献】
【非特許文献】
【０００４】
【非特許文献１】第一興商、“ＤＡＭ★とも”、右枠“ＤＡＭ★ともってなに？”、［online］、［平成２１年３月３０日検索］、インターネット＜URL: http://www.clubdam.com/app/damtomo/index.do?type=damtomo&source=index＞
【非特許文献２】株式会社エクシング、“うたスキ動画”、中央下段のＱ＆Ａ、［online］、［平成２１年３月３０日検索］、インターネット＜URL:http://joysound.com/ex/st/utasuki/help/movie/index.htm;jsessionid=36A783FA2F357A10BE69CEDD4D75A9F6.s3#Q1＞
【特許文献】
【０００５】
【特許文献１】特開２００４−３０１８８４号公報
【特許文献２】特開２００４−６９９２３号公報
【発明の概要】
【発明が解決しようとする課題】
【０００６】
そこで自身または他人が撮った複数の画像に歌唱録音データを関連付けることができれば歌唱録音データを視覚的に分かりやすく管理することが可能となる。しかし特許文献１、２記載のシステムでは、カラオケ端末とは別の装置で撮った画像に歌唱録音データを関連付けて保存することができないため、自身の機器で作成したコンテンツを重視するユーザにとっては不便である。
【０００７】
本発明は、このような事情に鑑みてなされたものであり、画像データと歌唱録音データを関連付け、視覚的に分かりやすく管理できるカラオケ端末、携帯端末、データ関連付け方法およびデータ関連付けプログラムを提供することを目的とする。
【課題を解決するための手段】
【０００８】
（１）上記の目的を達成するため、本発明のカラオケ端末は、歌唱録音データと画像データとを関連付けるカラオケ端末であって、所定範囲の時刻情報が付属する歌唱録音データを記録する歌唱データ記録部と、所定時点または所定範囲の時刻情報が付属する画像データを取得する画像ＤＢ制御部と、前記記録された歌唱録音データと、前記取得された画像データとの関連性の有無を、各データの時刻情報の重複の有無により判定する関連判定部と、前記時刻情報の重複が有ると判定された場合に、前記判定の対象とされたデータ間を関連付ける関連付けデータ制御部と、を備えることを特徴としている。これにより、画像データに歌唱録音データを関連付け、歌唱録音データを視覚的に分かりやすく管理することが可能となる。
【０００９】
（２）また、本発明のカラオケ端末は、前記取得された画像データの取得元に対して、前記取得された画像データに関連付けられた歌唱録音データを送信するデータ送信制御部を更に備えることを特徴としている。歌唱録音データを画像データの取得元に送信することにより、画像を表示しながら、それと関連付けられた歌唱録音データを取得元でも鑑賞できる。
【００１０】
（３）また、本発明のカラオケ端末は、前記記録された歌唱録音データに関する情報を表示するデータ表示制御部を更に備え、前記データ表示制御部は、前記歌唱録音データに関連付けられた画像データを表示することを特徴としている。これにより、簡単な操作で視覚的に分かりやすく歌唱録音データを管理することができる。
【００１１】
（４）また、本発明の携帯端末は、上記のカラオケ端末からデータを受信し、歌唱録音データと画像データとを関連付けて出力する携帯端末であって、前記カラオケ端末に送信した画像データと関連付けられた歌唱録音データを、前記カラオケ端末から受信する通信入出力制御部と、前記受信された歌唱録音データを前記画像データと関連付けて出力させる関連付けデータ管理部とを備えることを特徴としている。
【００１２】
これにより、画像データと関連付けられた歌唱録音データを携帯端末にダウンロードすることができる。これによりカラオケ曲予約時に特別な操作を必要とせず、急遽現在歌唱している歌唱録音データを携帯端末に取得したくなった際にも対応できる。また、携帯端末で画像を表示しながら歌唱録音データを聴くことができる。
【００１３】
（５）また、本発明のデータ関連付け方法は、カラオケ端末を用いて歌唱録音データと画像データとを関連付けるデータ関連付け方法であって、所定範囲の時刻情報が付属する歌唱録音データを記録するステップと、所定時点または所定範囲の時刻情報が付属する画像データを取得するステップと、前記記録された歌唱録音データと、前記取得された画像データとの関連性の有無を、各データの時刻情報の重複の有無により判定するステップと、前記時刻情報の重複が有ると判定された場合に、前記判定の対象とされたデータ間を関連付けるステップと、を含むことを特徴としている。これにより、歌唱録音データを視覚的に分かりやすく管理することが可能となる。
【００１４】
（６）また、本発明のデータ関連付けプログラムは、カラオケ端末に歌唱録音データと画像データとの関連付けを実行させるデータ関連付けプログラムであって、所定範囲の時刻情報が付属する歌唱録音データを記録する処理と、所定時点または所定範囲の時刻情報が付属する画像データを取得する処理と、前記記録された歌唱録音データと、前記取得された画像データとの関連性の有無を、各データの時刻情報の重複の有無により判定する処理と、前記時刻情報の重複が有ると判定された場合に、前記判定の対象とされたデータ間を関連付ける処理と、を含むことを特徴としている。これにより、歌唱録音データを視覚的に分かりやすく管理することが可能となる。
【発明の効果】
【００１５】
本発明によれば、画像データと歌唱録音データを時刻情報のマッチングにより関連付けることができる。
【図面の簡単な説明】
【００１６】
【図１】カラオケシステムを示す概略図である。
【図２】カラオケ端末の構成を示すブロック図である。
【図３】歌唱履歴データのテーブルを示す図である。
【図４】ＸＭＬファイルの一例を示す図である。
【図５】携帯端末の構成を示すブロック図である。
【図６】カラオケ端末の動作を示すフローチャートである。
【図７】カラオケ端末の動作を示すフローチャートである。
【図８Ａ】ディスプレイ装置による表示例を示す図である。
【図８Ｂ】ディスプレイ装置による表示例を示す図である。
【図９】カラオケ端末の画面表示例を示す図である。
【図１０】カラオケ端末の画面表示例を示す図である。
【図１１】カラオケ端末の画面表示例を示す図である。
【図１２】カラオケ端末の画面表示例を示す図である。
【図１３】カラオケ端末の画面表示例を示す図である。
【図１４】カラオケ端末の画面表示例を示す図である。
【図１５】携帯端末の画面表示例を示す図である。
【発明を実施するための形態】
【００１７】
次に、本発明の実施の形態について、図面を参照しながら説明する。説明の理解を容易にするため、各図面において同一の構成要素に対しては同一の参照番号を付し、重複する説明は省略する。
【００１８】
（システム構成）
図１は、カラオケシステム１を示す概略図である。カラオケシステム１により、画像を関連付けた歌唱録音データが配信される。図１に示す例では、カラオケシステム１は、カラオケ端末６０、リモコン端末４、近距離無線通信ネットワーク６、ディスプレイ装置７、スピーカ８、マイク５、カラオケＤＢ９、近距離無線通信ポート１０、携帯端末１００および近距離無線通信ポート２で構成されている。
【００１９】
携帯端末１００は、ＣＣＤまたはＣＭＯＳ等のカメラデバイスと近距離無線通信ポート２を備えた通信端末である。近距離無線通信ポート２の例には、たとえばＴｒａｎｓｆｅｒＪｅｔ（登録商標）のポートが挙げられる。携帯端末１００の例には、例えば、カメラ機能を有する携帯電話機または通信可能なＰＤＡが挙げられる。近距離無線通信ポート２は近距離無線通信可能なものであればよく、これに代えて無線ＬＡＮや赤外線通信、Ｂｌｕｅｔｏｏｔｈでもよい。
【００２０】
カラオケ端末６０は、コンピュータ応用機器としてハード構成され、歌唱録音データと画像データとを関連付けることができる。画像データには、静止画および動画のデータを含む。カラオケ端末６０は、例えばＨＤＤのような大容量の記憶部を備え、歌唱曲を予約するためのリモコン端末４、歌唱時の歌声を入力するためのマイク５、カラオケ楽曲映像データを表示するためのディスプレイ装置７、カラオケ楽曲音楽データを出力するためのスピーカ８、カラオケ楽曲データを記録しているカラオケＤＢ（データベース）９、および近距離無線通信ポート１０の各々と接続されている。また、カラオケ端末６０は、音量調整ダイヤル、テンキー、予約ボタン、演奏終了ボタンなどのユーザインターフェースを備えていてもよい。
【００２１】
近距離無線通信ポート２の例には、たとえばＴｒａｎｓｆｅｒＪｅｔ（登録商標）のポートが挙げられる。近距離無線通信ポート１０は近距離無線通信可能なものであればよく、無線ＬＡＮや赤外線通信、Ｂｌｕｅｔｏｏｔｈ（登録商標）であってもよい。なお、これらの各装置とカラオケ端末６０との接続は、有線でも無線でもよく複数台接続されていてもよい。
【００２２】
リモコン端末４は、カラオケ端末６０と近距離無線通信ネットワーク６で接続され、カラオケ端末６０をリモートコントロールできるユーザインターフェースを備えている。リモコン端末４は、例えば、カラオケ端末専用のリモコン、カラオケリモコンのアプリケーションを備えた携帯端末などである。カラオケ端末６０側の近距離無線通信ポート１０は複数あってもよい。
【００２３】
ディスプレイ装置７は、カラオケ端末６０から出力される映像信号を入力し、入力された映像信号を画面に表示する。カラオケＤＢ９は、ローカルエリアネットワークケーブルなどの通信ケーブルでカラオケ端末６０と接続され、映像データ、音楽データ、歌詞データを含むカラオケ楽曲データを記憶している。
【００２４】
（カラオケ端末の構成）
次に、カラオケ端末６０の構成を説明する。図２は、カラオケ端末の構成を示すブロック図である。図２に示すように、カラオケ端末６０は、ディスプレイ出力部６１、スピーカ出力部６２、マイク入力部６３、視聴制御部６４、関連付けデータ制御部６５、状態制御部７９、データ表示制御部６７、データ送信制御部６８、合成映像作成部６９、カラオケＤＢ入力部７０、合成音楽作成部７１、歌唱録音制御部７２、歌唱データ記録部７３、歌唱履歴データ時刻情報取得部７４、関連判定部７５、受信画像データ時刻情報取得部７６、画像ＤＢ制御部７７および通信入出力制御部７８を備えている。
【００２５】
通信入出力制御部７８は、近距離無線通信ポートの入出力を制御する。近距離無線通信ポートは複数あってもよく、携帯端末と接続可能である。近距離無線通信は、無線ＬＡＮや赤外線通信、Ｂｌｕｅｔｏｏｔｈ（登録商標）であってもよい。
【００２６】
カラオケＤＢ入力部７０は、カラオケＤＢ９からカラオケ楽曲データを読み込む。合成映像作成部６９は、カラオケ楽曲映像データと歌詞データを合成処理させる。ディスプレイ出力部６１は、ディスプレイ装置７に映像信号を出力する。スピーカ出力部６２は、合成音楽作成部７１から入力される合成音楽データを、アンプを通して出力する。マイク入力部６３は、マイクからの音声入力を制御する。合成音楽作成部７１は、カラオケＤＢ入力部７０から入力されたカラオケ楽曲音楽データとマイク入力部６３から入力された歌唱者の音声データを合成処理する。
【００２７】
歌唱録音制御部７２は、合成された音楽データの録音を制御する。録音する際の保存形式は、ＭＰ３やＭＩＤＩなど携帯端末１００で再生できるフォーマットなら何でもよい。歌唱データ記録部７３は、歌唱データ（歌唱録音データと歌唱履歴データ）を保存することで、所定範囲の時刻情報が付属する歌唱録音データを記録する。所定範囲の時刻情報とは、演奏の開始時刻と終了時刻で特定される情報である。歌唱録音データはカラオケ端末の記憶領域に蓄積されており、ユニークなＵＲＩを持つ。歌唱履歴データについては後述する。視聴制御部６４は、歌唱録音データの試聴を制御する。歌唱履歴データ時刻情報取得部７４は、歌唱データＤＢ（図示せず）から歌唱履歴データを読み込み、演奏開始時刻と演奏終了時刻情報を取得する。
【００２８】
画像ＤＢ制御部７７は、所定時点または所定範囲の時刻情報が付属する画像データを取得する。所定時点の時刻情報とは、静止画データの撮影時刻情報であり、所定範囲の時刻情報とは、動画データの撮影開始時刻と撮影終了時刻とで特定される情報である。画像ＤＢ制御部７７は、通信入出力制御部７８から受信してきた、作成時刻情報を含む画像データと新着受信画像データ数を保存する。受信画像データ時刻情報取得部７６は、受信画像ＤＢから画像データを読み込みその画像データの作成時刻情報を取得する。
【００２９】
関連判定部７５は、記録された歌唱録音データと、取得された画像データとの関連性の有無を、各データの時刻情報の重複の有無により判定する。関連判定部７５は、受信画像データ時刻情報取得部７６で得られた画像データ時刻情報と歌唱履歴データ時刻情報取得部７４で得られた演奏開始終了の時刻情報を比較する。演奏開始から演奏終了までの時間に画像データの撮影時間が重複していれば関連ありと判定する。
【００３０】
関連付けデータ制御部６５は、時刻情報の重複が有ると判定された場合に、判定の対象とされたデータ間を関連付ける。関連付けデータ制御部６５は、ＸＭＬファイルを作成する。これにより、歌唱録音データと受信画像データとが関連付けられる。なお、ＸＭＬファイルについては後述する。
【００３１】
関連付けデータ制御部６５は、関連付けした画像データと歌唱録音データの関連付け情報を管理するファイルを作成し保存する。これにより、自身または他人が撮った複数の画像に歌唱録音データを関連付けることができる。そして、関連付けた表示等により歌唱録音データを視覚的に分かりやすく管理することが可能となる。
【００３２】
状態制御部７９は、カラオケ端末が演奏中か否かを判定する。また、画像ＤＢ制御部で保存している新着受信画像データ数を読み込み、新着受信画像データ数が１枚以上であるかを判定する。データ表示制御部６７は、関連付けデータＤＢから関連付けデータを読み込み、画面レイアウトを作成しディスプレイ出力部６１に出力する。
【００３３】
（データ、ファイル）
図３は、歌唱履歴データのテーブルを示す図である。歌唱履歴データは、図３に示すようなテーブル形式で保存されており、ＵＲＩ９０、曲名９１、アーティスト名９２、演奏開始時刻９３、演奏終了時刻９４、点数９５などの情報で構成されている。
【００３４】
図４は、ＸＭＬファイルの一例を示す図である。なお、図４に示すようなＸＭＬファイルのフォーマットはあくまで実施の1例であり、これに限定されるものではない。基本的に、画像データと録音データが関連づけられることが最低限必須であるが、付随する楽曲に関連する情報を関連づけても構わない。
【００３５】
（携帯端末の構成）
次に、携帯端末１００の構成を説明する。図５は、携帯端末１００の構成を示すブロック図である。携帯端末１００は、カラオケ端末６０に画像データを送信し、その後、カラオケ端末６０からデータを受信し、歌唱録音データと画像データとを関連付けて出力する。図５に示すように、携帯端末１００は、通信入出力制御部１０１、画像ＤＢ制御部１０２、カメラ制御部１０３、関連付けデータ管理部１０４、歌唱データ記録部１０５、歌唱録音データ再生部１０６、データ表示制御部１０７およびディスプレイ出力部１０８を備えている。
【００３６】
カメラ制御部１０３は、携帯端末に搭載されているＣＣＤまたはＣＭＯＳ等のカメラデバイスを使用して画像データを取得する。画像ＤＢ制御部１０２は、カメラ制御部１０３により取得した画像データ、または近距離無線通信から入力された画像データを保存する。
【００３７】
通信入出力制御部１０１は、近距離無線通信ポート、本実施形態ではＴｒａｎｓｆｅｒＪｅｔ（登録商標）ポートの入出を制御する。近距離無線通信は、ＴｒａｎｓｆｅｒＪｅｔに限らず無線ＬＡＮや赤外線通信、Ｂｌｕｅｔｏｏｔｈ（登録商標）であってもよい。また、通信入出力制御部１０１は、カラオケ端末６０に送信した画像データと関連付けられた歌唱録音データを、カラオケ端末６０から受信する。
【００３８】
データ表示制御部１０７は、関連付けデータ管理部１０４から関連付けデータを読み込み、画面レイアウトを作成しディスプレイ出力部６１に出力する。ディスプレイ出力部１０８は、ディスプレイ（図示せず）に映像信号を出力する。
【００３９】
関連付けデータ管理部１０４は、カラオケ端末６０から受信した関連付けデータを保存する。関連付けデータ管理部１０４は、受信された歌唱録音データを画像データと関連付けて歌唱録音データ再生部１０６およびディスプレイ出力部１０８に出力させる。これにより、画像と関連付けられた歌唱録音データを携帯端末１００にダウンロードすることができる。そして、カラオケ曲予約時に特別な操作を必要とせず、急遽現在歌唱している歌唱録音データを携帯端末１００に取得したくなった際にも対応できる。また、携帯端末１００で画像を表示しながら歌唱録音データを聴くことができる。
【００４０】
歌唱データ記録部１０５は、カラオケ端末６０から受信した歌唱データを保存する。歌唱録音データ再生部１０６は、歌唱データ記録部１０５から歌唱録音データを読み込み、指定された歌唱録音データを再生する。データ形式はＭＰ３やＭＩＤＩなどの音楽データであればよい。
【００４１】
（カラオケ端末の動作）
次に、カラオケ端末６０が画像データを受信したときの処理を説明する。図６は、カラオケ端末６０の動作を示すフローチャートである。
【００４２】
この処理はユーザが携帯端末１００上にある画像を選択してカラオケ端末６０に送信した時に開始される。カラオケ端末６０の通信入出力制御部７８が携帯端末１００から近距離無線通信ポート経由で画像データを受信する。画像データ受信後、画像ＤＢ制御部７７はカラオケ端末６０の内部にある記憶領域に画像データを保存する（ステップＳ１０１）。その後、新着受信画像データ数をインクリメントする（ステップＳ１０２）。
【００４３】
受信画像データ時刻情報取得部７６は、受信画像データの撮影時刻情報を受信画像データのメタ情報から取得する（ステップＳ１０３）。歌唱履歴データ時刻情報取得部７４は、歌唱関連データから演奏開始時間と演奏終了時間を取得する（ステップＳ１０４）。
【００４４】
その後、関連判定部７５は受信画像データの時刻情報と歌唱履歴データの時刻情報を比較する（ステップＳ１０５）。受信画像データの撮影時刻がある１つの歌唱履歴データの演奏開始から演奏終了までの時刻である場合、その曲中に画像が撮影されたと判断して１つの歌唱録音データと受信画像データが関連付けられる。また受信画像データの撮影時刻がある１つの歌唱関連データの演奏終了から次曲の歌唱関連データの演奏開始までの時刻である場合、２つの歌唱録音データと受信画像データとを関連付ける。
【００４５】
関連付けデータ制御部６５は、図４のようなファイルフォーマットのＸＭＬファイルを作成する（ステップＳ１０６）。関連付けデータ制御部６５は、作成されたＸＭＬファイルをカラオケ端末内部の記憶領域に保存する（ステップＳ１０７）。
【００４６】
以上の処理を終えた後、状態制御部７９がカラオケ演奏中であるかどうかを判定する（ステップＳ１０８）。演奏中であればそのまま処理を終了する。カラオケ演奏中でなければデータ表示制御部６７が関連付けデータＤＢに保存されているＸＭＬファイル（関連付けデータ）を読み込む（ステップＳ１０９）。読み込み終了後、関連付けデータに基づいて必要なデータを読み込み、画面レイアウトを作成してディスプレイ出力部６１に歌唱録音データのリストを出力する（ステップＳ１１０）。
【００４７】
なお、携帯端末１００からカラオケ端末６０に画像データを転送し関連付け処理を行った歌唱録音データをリスト表示せず、そのまま携帯端末に転送してもよい。その場合には、１回のタッチのみで歌唱録音データが取得できる。
【００４８】
以上の処理で、携帯端末１００から送信された画像を受信して、時刻情報に基づいてカラオケ端末６０内に記憶されている歌唱録音データと受信した画像を関係づけさせ、関連付けた歌唱録音データをリスト表示する。
【００４９】
次に、演奏終了時の動作を説明する。図７は、カラオケ端末の動作を示すフローチャートである。
【００５０】
まず、カラオケ演奏が終了した時点で状態制御部７９新着受信画像データ数が１枚以上か否かを判定する（ステップＳ２０１）。新着受信画像データ数が０枚の場合は、何もせず通常通りの処理を行う。新着受信画像データ数が１枚以上の場合はデータ表示制御部６７が関連付けデータＤＢに保存されているＸＭＬファイル（関連付けデータ）を読み込む（ステップＳ２０２）。
【００５１】
読み込み終了後、関連付けデータに基づいて必要なデータを読み込み、画面レイアウトを作成してディスプレイ出力部６１に歌唱録音データのリストを出力する（ステップＳ２０３）。リスト表示した後、画像ＤＢ制御部７７が新着受信画像データ数を０枚にリセットする（ステップＳ２０４）。
【００５２】
なお、以上の動作は、カラオケ端末６０のコンピュータにプログラムを実行させることで行われる。
【００５３】
（ユースケース）
次に、カラオケシステム１の使用について説明する。カラオケシステム１は、簡単な操作で視覚的に分かりやすく歌唱録音データを取得することができる。歌唱録音データは、カラオケの伴奏と歌唱者の歌声を合成して録音した音楽ファイルである。音楽ファイルの保存形式はＭＰ３やＭＩＤＩなど携帯端末１００で再生できるフォーマットなら何でもよい。
【００５４】
この歌唱録音データを取得するための操作として、ユーザの携帯端末１００で撮影した画像を近距離無線通信ポート２経由でカラオケ端末６０に送信することでカラオケ端末６０内にある歌唱録音データを携帯端末１００にダウンロードすることができる。これによりカラオケ曲予約時に特別な操作を必要とせず、急遽現在歌唱している歌唱録音データを取得したくなった際にも対応できる。実際にはディスプレイ装置７に画像が撮像された際に歌唱していた歌唱録音データのリストを表示し、リストから所望の歌唱録音データを選択した状態でユーザが課金を承認すると画像と共に歌唱録音データをユーザの携帯端末１００に送信する。以下にユーザの手順を説明する。
【００５５】
図８Ａおよび図８Ｂは、ディスプレイ装置による表示例を示す図である。図８Ａに示すように、カラオケ歌唱中に表示される通常時において、ユーザが何も操作せず歌唱のみを行っている場合には、ディスプレイ装置７は背景映像２０と歌詞テロップ２１を合成した映像を表示する。
【００５６】
ユーザは、カラオケ利用時間中に自由に携帯端末１００を使用して画像を撮像する。ただし所望の歌唱録音データを取得したい場合は、まず前曲演奏終了後から次曲演奏開始までの間に画像を撮像する。その後、ユーザが撮像した画像を、携帯端末１００を操作することで選択し、カラオケ端末６０上の近距離無線通信ポート１０に携帯端末１００の近距離無線通信ポート２を接触させ画像データを送信する。
【００５７】
カラオケ端末６０は画像の受信を完了すると、図８Ｂに示すようにディスプレイ装置７に受信画像２２と受信が成功した旨を伝えるテロップ２３を表示する。なお、携帯端末１００で撮像した画像データをカラオケ端末６０に送信するタイミングはいつでもよいが、現実的にはカラオケサービスを受けている時間内が好ましい。
【００５８】
ユーザがカラオケ演奏中に画像データを送信し演奏が終了した場合または演奏時間外に画像データを送信した場合には、ディスプレイ装置７に送信した画像と関連付けられた歌唱録音データのリストが表示される。
【００５９】
図９は、カラオケ端末６０の画面表示例を示す図である。図９に示すように、カラオケ端末６０の画面は、歌唱録音データのリストを表示する。具体的にはユーザが一度に複数枚をカラオケ端末６０へ送信した場合、歌唱録音データのリストが図９のように複数の歌唱録音データが並列して表示される。このようにリスト表示は、画像データと歌唱録音データが関連付けられた分だけ複数表示できる。
【００６０】
リスト表示された歌唱録音データは、リモコンにより選択可能である。選択は、リモコン操作説明部３４により指示される。画像表示エリア３０は、関連付けられた画像が４つ以上ある場合スライドショーのように画像を右から左へ順々にスライド表示する。歌唱関連情報表示エリア３１〜３３は、それぞれ曲名、アーティスト名、点数を表示する。
【００６１】
また、リスト表示の具体的な遷移例を説明する。図１０〜図１２は、カラオケ端末の画面表示例を示す図である。図に示すように画面はリストを表示している。ユーザはカラオケ演奏中に携帯端末１００で取得した画像データの１枚をカラオケ端末６０に転送する。カラオケ演奏終了後、歌唱録音データのリストでは、図１０のように歌唱録音データの表示枠２９内にユーザが転送した画像データに対応する１つの画像表示エリア３０が表示される。
【００６２】
次に、別のその後になされた歌唱中に撮影したもう１枚の画像データをカラオケ端末６０に転送すると、歌唱録音データのリストには図１１のように２つの歌唱録音データが表示される。さらに、１、２枚目に送信した画像データとは別の画像データで、かつ１枚目と同じ曲の歌唱時に撮影された画像データを転送すると、歌唱録音データのリストは図１２のように、１曲目の歌唱録音データの表示枠２９内に３枚目の画像データに対応する画像表示エリア３０が表示される。
【００６３】
次に、課金画面の一例を説明する。図１３は、カラオケ端末の画面表示例を示す図である。リスト表示からリモコン操作で１つの歌唱録音データを選択すると、画面表示が図１３のような課金画面に遷移する。課金画面には、メッセージエリア４０、前画面に戻るボタン４１、試聴ボタン４２がある。メッセージエリア４０には、ユーザに対して課金を促す旨のメッセージを表示される。前画面に戻るボタン４１は、選択されると前画面であるリスト表示に戻る。試聴ボタン４２は、選択されると選択した歌唱録音データを再生する。
【００６４】
図１４は、カラオケ端末６０の画面表示例を示す図である。試聴ボタン４２が押され試聴が開始されると、図１４のような試聴画面に遷移する。試聴画面には、映像表示画面４５、操作説明表示画面４６がある。映像表示画面４５は、試聴用の映像が表示される。試聴用に再生される映像としては、関連付けられた画像をそのまま表示する映像、複数枚の関連付けられた画像を一定間隔毎に切り替えて表示する映像、基本的にはカラオケ時の映像を流し関連付けられた画像の取得時刻になったらその画像をエフェクト付きで表示させる映像等が考えられる。試聴中に携帯端末１００から画像データを転送してもよい。操作説明表示画面４６は、早送り、巻き戻し、再生／一時停止、キャンセルなどのボタンが表示される。
【００６５】
図１５は、携帯端末１００の画面表示例を示す図である。課金画面表示中にユーザがカラオケ端末６０上にある近距離無線通信ポート１０に携帯端末１００の近距離無線通信ポート２を接触させると、ユーザが選択した歌唱録音データ、画像データ、歌唱録音データと画像の関連付けを管理するデータが携帯端末１００に送信される。携帯端末１００上でリスト表示を指示すると、携帯端末１００は、携帯端末１００内にある記憶領域から必要なデータを読み込み、図１５のように画像エリア５０、歌唱関連情報表示エリア５１〜５４を表示する。画像エリア５０は、１枚の画像を表示するだけのスペースがあり、関連付けられた画像が複数ある場合は一定間隔毎に画像を切り替え、それを繰り返して画像表示を行う。歌唱関連情報表示エリア５１〜５４は、それぞれ曲名、アーティスト名、点数、日付を表示する。
【符号の説明】
【００６６】
１  カラオケシステム
２  近距離無線通信ポート
４  リモコン端末
５  マイク
６  近距離無線通信ネットワーク
７  ディスプレイ装置
８  スピーカ
９  カラオケＤＢ     
１０  近距離無線通信ポート
２９  歌唱録音データ表示枠
３０  画像表示エリア
３１−３３  歌唱関連情報表示エリア
３４  リモコン操作説明部
４０  メッセージエリア
４５  映像表示画面
４６  操作説明表示画面
５０  画像エリア
５１−５４  歌唱関連情報表示エリア
６０  カラオケ端末
６１  ディスプレイ出力部
６２  スピーカ出力部
６３  マイク入力部
６４  視聴制御部
６５  関連付けデータ制御部
６７  データ表示制御部
６８  データ送信制御部
６９  合成映像作成部
７０  カラオケＤＢ入力部
７１  合成音楽作成部
７２  歌唱録音制御部
７３  歌唱データ記録部
７４  歌唱履歴データ時刻情報取得部
７５  関連判定部
７６  受信画像データ時刻情報取得部
７７  画像ＤＢ制御部
７８  通信入出力制御部
７９  状態制御部
９１  曲名
９２  アーティスト名
９３  演奏開始時刻
９４  演奏終了時刻
９５  点数
１００  携帯端末
１０１  通信入出力制御部
１０２  画像ＤＢ制御部
１０３  カメラ制御部
１０４  関連付けデータ管理部
１０５  歌唱データ記録部
１０６  歌唱録音データ再生部
１０７  データ表示制御部
１０８  ディスプレイ出力部
【図１】
2011145492.tif 000003
【図２】
2011145492.tif 000004
【図３】
2011145492.tif 000005
【図４】
2011145492.tif 000006
【図５】
2011145492.tif 000007
【図６】
2011145492.tif 000008
【図７】
2011145492.tif 000009
【図８Ａ】
2011145492.tif 000010
【図８Ｂ】
2011145492.tif 000011
【図９】
2011145492.tif 000012
【図１０】
2011145492.tif 000013
【図１１】
2011145492.tif 000014
【図１２】
2011145492.tif 000015
【図１３】
2011145492.tif 000016
【図１４】
2011145492.tif 000017
【図１５】
2011145492.tif 000018